(57)【要約】      （修正有）【課題】表示が見やすく小型で組み立て容易な遠隔制御装置を実現する。【解決手段】電子機器を操作する制御装置（１）は、略細長い形状の本体（２）と、複数の動作モードのいずれか１つのモード位置に回転可能な選択手段と、各動作モードに関連した情報を表示する表示手段（８）と、選択手段によって選択された動作モードを起動する単一の共通の起動手段とを備える。表示手段は、本体の周りを少なくとも１８０度に亘って覆う曲面を有する窓（３）によって覆われている。【選択図】  図１
2006059519.tif 000002
【特許請求の範囲】
【請求項１】
電子機器を操作する制御装置（１）において、
複数の動作モードのそれぞれの位置に選択的に移動可能な選択手段（６）と、
上記各動作モードに関連した情報を表示する表示手段（３、８）と、
上記選択手段によって選択された動作モードを起動する起動手段（７）とを備える制御装置。
【請求項２】
電子機器を操作する制御装置（１）において、
表示窓（３）を収納する細長い形状の本体（２）を備え、
上記表示窓は、上記本体の周りを少なくとも１８０度に亘って覆う曲面を有することを特徴とする制御装置。
【請求項３】
細長い形状の本体（２）を有し、電子機器を操作する制御装置（１）において、
複数の動作モードのいずれか１つのモード位置に回転可能な選択手段（６）と、
上記各動作モードに関連した情報を表示する表示手段と、
上記選択手段によって選択された動作モードを起動する単一の共通の起動手段（７）とを備える制御装置。
【請求項４】
上記単一の共通の起動手段は、ボタンスイッチ（７）であることを特徴とする請求項３記載の制御装置。
【請求項５】
上記表示手段は、上記本体（２）に窓（３）によって収納され、該窓（３）は、上記本体の周りを少なくとも１８０度に亘って覆う曲面を有することを特徴とする請求項３又は４記載の制御装置。
【請求項６】
上記窓（３）は、上記本体の周りを略２７０度に亘って覆い、該窓の断面は円弧状であることを特徴とする請求項５記載の制御装置。
【請求項７】
上記窓（３）は、上記本体（２）の構造体を構成することを特徴とする請求項５又は６記載の制御装置。
【請求項８】
略円柱状の本体（２）と、
上記本体の長手方向に延びている表示部（８）と、
上記表示部を覆う窓（３）とを備え、
上記窓は、上記本体（２）の円柱状の構造体の一部を構成し、該本体（２）の長軸の周りの１８０度以上の範囲に亘ることを特徴とする制御装置。
【請求項９】
上記窓（３）は、機械的に上記本体（２）に取り付けられることを特徴とする請求項８記載の制御装置。
【請求項１０】
略円柱状の本体（２）と、
表示部（８）と、
ユーザ操作子（６、７）とを備え、
上記ユーザ操作子は、上記本体の１つの端部に配置され、当該制御装置の異なる動作モードに対応した複数のノブ位置を特定する印を有する回転可能なモード選択ノブ（６）と、該モード選択ノブ（６）に隣接し、該モード選択ノブ（６）によって選択される機能を起動する起動ボタン（７）とからなることを特徴とする制御装置。
【発明の詳細な説明】
【技術分野】
【０００１】
本発明は、電子機器を操作する遠隔制御装置に関し、特に、これらに限定されないが、ソニー株式会社のウォークマン（登録商標）、音楽再生機器又はこのような個人用電子機器を操作する遠隔制御装置に関する。このような遠隔制御装置は、通常、使い勝手が良いように、個人用電子機器のヘッドセットのケーブルに組み込まれており、ユーザの衣服に止められるように設計されている。
【背景技術】
【０００２】
このような遠隔制御装置は、現在多く販売されている。これらの遠隔制御装置を用い、デジタルボタンを押すことによって、「メニュー」、「表示」、「サウンド」、「再生」等のモードを選択することが通常行われている。通常、それぞれのモード毎に別々のデジタルボタンが設けられている。従来の遠隔制御装置の表示手段としては、通常、平面ＬＣＤ表示画面があり、この平面ＬＣＤ表示画面は、接着剤で所定の位置に固定されている。
【０００３】
上述した一般的な種類の遠隔制御装置は、特許文献１に開示されており、本明細書の図５及び図６はそこから引用している。このような遠隔制御装置において、表示画面は、窓を収納するフレームを有し、フレームは、接着剤で遠隔制御装置の本体に固定されている。遠隔制御装置の小型化が進み、フレームの接着剤を塗ることができる部分が小さくなり、適切且つ確実に窓を固定することは困難になっている。さらに、図６に示すように、様々な機能に対応した一連の専用モードボタンが設ける場合、小型化の妨げとなり、構成部品の数が多くなり、そのため組立時間も長くなり、また、使用者にとっては操作が複雑になっている。関連技術における変更例の、繰返し押すことによってモードの一覧を回す一般的なモード選択ボタンであっても、使用者が現在選択されているモードを確認するためには表示に注意を払わなければならず、不便である。したがって、このような遠隔制御装置の操作は非常に煩雑であり、また、その製造において組立が困難で、時間がかかる。
【０００４】
【特許文献１】特開２００２−９３１４２号公報
【発明の開示】
【発明が解決しようとする課題】
【０００５】
したがって、本発明の目的は、従来の遠隔制御装置を改良し、上述の問題のいくつかを解決又は少なくとも軽減させる及び／又は既知の遠隔制御装置の有効な変形例を提供することである。
【課題を解決するための手段】
【０００６】
本発明に係る制御装置は、電子機器を操作する制御装置であり、複数の動作モードのそれぞれの位置に選択的に移動可能な選択手段と、各動作モードに関連した情報を表示する表示手段と、選択手段によって選択された動作モードを起動する起動手段とを備える。
【０００７】
また、本発明に係る制御装置は、電子機器を操作する制御装置であり、表示窓を収納する細長い形状の本体を備え、表示窓は、本体の周りを少なくとも１８０度に亘って覆う曲面を有する。
【０００８】
さらに、本発明に係る制御装置は、細長い形状の本体を有し、電子機器を操作する制御装置であり、複数の動作モードのいずれか１つのモード位置に回転可能な選択手段と、各動作モードに関連した情報を表示する表示手段と、選択手段によって選択された動作モードを起動する単一の共通の起動手段とを備える。
【０００９】
好ましくは、単一の共通の起動手段は、ボタンスイッチである。
【００１０】
好ましくは、表示手段は、本体に窓によって収納され、窓は、本体の周りを少なくとも１８０度に亘って覆う曲面を有する。好ましい構成において、窓は、本体の周りを最大で略２７０度に亘って延びており、その断面は、円弧状である。窓の延びる角度は、約１８０度から２７０度の範囲が好ましい。また、好ましくは、窓は、本体の構造体を構成し、本体に強度と剛性を与える。
【００１１】
好ましくは、窓は、接着剤を用いずに機械的に本体に取り付けられる。
【００１２】
さらに、本発明に係る制御装置は、略円柱状の本体と、本体の長手方向に延びている表示部と、表示部を覆う窓とを備える。窓は、本体の円柱状の構造体の一部を構成し、本体の長軸の周りの１８０度以上の範囲に亘る。
【００１３】
さらに、本発明に係る制御装置は、略円柱状の本体と、表示部と、ユーザ操作子とを備える。ユーザ操作子は、本体の１つの端部に配置され、当該制御装置の異なる動作モードに対応した複数のノブ位置を特定する印を有する回転可能なモード選択ノブと、モード選択ノブに隣接し、モード選択ノブによって選択される機能を起動する起動ボタンとからなる。
【発明の効果】
【００１４】
本発明において、制御装置の表示窓に円柱状又は管状の構造体を採用することによって、表示画面の有効領域を広く、また、強度を高くすることができる。これにより、従来の平面表示画面よりもそれ自体で強度の高い構造が得られる上に、制御装置の新規な組立方法を可能にする。特に、曲面状の窓は、本体に対して、本体の長手方向に単にスライドさせることにより取り付けることができ、接着剤を用いる必要がなく、例えば、クリップ、スナップロック、又は当業者が考え得る他の手段によって機械的に所定の位置に取り付けることができる。したがって、組立工程を単純化及び高速化することができる。さらに、曲面状の窓は、本体構造の一部を構成し、これにより、最終製品の剛性及び衝撃に対する強度が高くなる。このことは、ユーザが通常使用している間に窓に触れることがあるので、重要である。窓に対し、図２に示す矢印Ｚ方向になんらかの力が加わったときに、従来の平面表示画面では傷つきやすい表示画面に力が伝わってしまう可能性があるが、本発明を適用した管状の窓を用いることにより、加えられた力は、表示画面ではなく、本体の壁に伝達される。したがって、表示画面をより良好に保護することができる。また、本発明の制御装置の構造によって、ＥＳＤ（electrostatic discharge：静電放電）から表示画面が損傷を受けるリスクを低減することができる。
【００１５】
また、本発明では、一連の専用のモードボタンを不要とし、これにより、構成部品を減らし、ユーザが求める更なる小型化及び／又は表示画面を大きくする余地を産むことができる。また、機能を全く損なわずに、制御装置の大きさを縮小することができる。さらに、ジョグダイヤルを、単にモード位置を増やしたものに変更するだけで、後の製品モデルに新たな機能を組み込むことができる。これによって、追加的なモードボタンを設けるような場合に必要とされる大幅な設計変更を避けることができる。また、本発明の制御装置は、有益なスペースを節約しているので、制御装置全体の大きさを拡大せずに機能を追加することができる。
【００１６】
好ましくは、選択手段は、ジョグダイヤル形式の操作子である。例えば、音量調整にジョグダイヤルを用いることは、特許文献１にも開示されているが、従来の技術では、ジョグダイヤルを、起動ボタンと協働して、動作モード選択手段として用いることは知られていない。
【００１７】
ユーザは、モード選択にジョグダイヤル形式の操作子を用いることにより、操作が単純化される。特に、選択されたモードは、ユーザが即座に見ることができるジョグダイヤルの相対的位置に直接関連しているので、直ちに、且つ直感的に操作を行うことができる。また、上述した従来の制御装置のように、モード選択ボタンを何度も押しながら、押す度に表示画面を見て、現在のモードを確認する必要がなくなる。
【発明を実施するための最良の形態】
【００１８】
以下、本発明の実施の形態について図面を参照して説明する。
【００１９】
図１に示すように、ソニー株式会社のウォークマン（登録商標）等の電子機器を操作するための遠隔制御装置１は、細長い略円柱状の本体２を有しており、この本体２は、ＬＣＤ表示部８を覆う表示窓３を収納する。表示窓３は、細長い本体２の矢印Ｘ方向に差し込まれ、表示窓３の１つの端部４は、本体２の１つの端部５に近接して設けられた対応する形状の凹部（図示しない）に嵌合する。
【００２０】
図２に示すように、表示窓３の断面は円弧状であり、円柱状の本体２の周りを約２７０度に亘って覆っている。表示窓３は、本体２の構造的要素を構成しており、遠隔制御装置１に強度及び剛性を与える。また、本体２に対して表示窓３がつくる角度を１８０度以上とすることにより、図２の矢印Ｙ方向の力に対して表示窓３が外れにくくすることができる。
【００２１】
図３及び図４に示すように、ジョグダイヤル形式の回転選択手段（以下、単にジョグダイヤルという。）６は、回転させることによって、例えば、「表示」、「メニュー」、「サウンド」、「再生」等のモードを選択することができる。ジョグダイヤル６を回転させてあるモードを一旦選択すると、ボタンスイッチ７を押すことによってそのモードは起動又は確定される。単一の共通のボタンスイッチ７は、全てのモード位置に対する起動手段として用いられる。これにより、使用中にジョグダイヤル６が思いもかけず回り、モードが無意識に切り替わることを防止することができる。
【００２２】
図３及び図４に示すように、この実施形態において、ボタンスイッチ７は、本体２の円周方向に伸びている。ボタンスイッチ７は、ジョグダイヤル６のリングにその軸方向に隣接して配設されている。このように配置することによって、実装スペースを節約でき、操作子であるジョグダイヤル６、ボタンスイッチ７を表示部８に対して軸方向に離れた位置にすることができる。ジョグダイヤル６のリングは、遠隔制御装置１の長手方向の軸に対して回転し、ボタンスイッチ７は、遠隔制御装置１の半径方向に押される。
【００２３】
上述したように、従来の平面表示画面は、通常、接着剤を用いて画面の周囲の位置に固定されている。このように接着剤を塗るスペースが必要な場合、事実上画面の有効範囲が小さくなってしまう。残念なことに、単純に接着剤の領域を狭くすると、画面が剥がれる可能性がある。本発明の実施形態では、接着剤を不要とし、上述した接着剤の使用による画面のスペースのロスをなくすようにしている。さらに、画面を本体に取り付ける機械的な構造によって、接着剤を使用する場合よりもより確実に画面を固定するようにしている。
【００２４】
この実施形態における表示窓３は、円柱状の曲面を有するので、従来の普通の平面表示画面よりも魅力的又は従来のものと異なった外観を呈する。
【００２５】
また、曲面状の表示窓３は、厚さが約０．８ｍｍであっても、遠隔制御装置１に構造上の剛性を与える。略円柱状の表示窓３は、同じ厚さの画面材料からなる平面表示画面よりも強度が高い。
【００２６】
特許文献１に開示されているような従来の遠隔制御装置は、異なるモードのそれぞれに対して独立したボタンスイッチを用いている。確定／起動操作用にジョグダイヤル６及び共通のスイッチ７を用いることによって、これら個別のスイッチが全て不要となり、その結果、製造コストを削減し、省スペースを実現し、より小さい小型の遠隔制御装置の可能性を開くことができる。これに代えて、省スペースによって、画面領域を大きくする等の新たな又は改善された特徴を導入することができる。
【００２７】
ジョグダイヤルは、従来の複数のボタンスイッチよりも操作が非常に簡単で使い勝手がよい。片手で操作することは比較的簡単である。従来の遠隔制御装置のユーザは、通常、液晶表示画面を見ることによって現在の動作モードを確認する必要があったが、本発明ではジョグダイヤルを用いることによって、ジョグダイヤル及びボタンスイッチの「感触」と、ジョグダイヤルのノブの表示を一瞥するだけで直感的にモードを確認及び起動することができる。
【００２８】
勿論、特許請求の範囲によって定義される本発明の主旨を逸脱することなく、上述の実施形態に様々な変更を行うことができることは明らかである。
【図面の簡単な説明】
【００２９】
【図１】本発明に基づいて組み立てられた遠隔制御装置の組立方法を示す分解斜視図である。
【図２】図１に示す遠隔制御装置の拡大断面図である。
【図３】図１に示す遠隔制御装置のモード選択操作を示す部分拡大側面図である。
【図４】図１に示す遠隔制御装置のモード選択操作を示す部分斜視図である。
【図５】特許文献１に開示されている従来の遠隔制御装置の斜視図である。
【図６】特許文献１に開示されている従来の遠隔制御装置の斜視図である。
【図１】
2006059519.tif 000003
【図２】
2006059519.tif 000004
【図３】
2006059519.tif 000005
【図４】
2006059519.tif 000006
【図５】
2006059519.tif 000007
【図６】
2006059519.tif 000008
【外国語明細書】
2006059519.tif 000009
2006059519.tif 000010
2006059519.tif 000011
2006059519.tif 000012
2006059519.tif 000013
2006059519.tif 000014
2006059519.tif 000015
2006059519.tif 000016
2006059519.tif 000017
2006059519.tif 000018
【図１】
2006059519.tif 000019
【図２】
2006059519.tif 000020
【図３】
2006059519.tif 000021
【図４】
2006059519.tif 000022
【図５】
2006059519.tif 000023
【図６】
2006059519.tif 000024